(57)【特許請求の範囲】
【請求項１】
エレベータの乗りかご床と、乗りかご床の下方に設けられる秤装置との間の間隙を測定するための測定治具であって、
乗りかご床の下側平板面と磁気的に接続するために磁化された上側平板面を有する固定平板部と、固定平板部の平板面の端部から固定平板部の平板面と垂直となるように延伸し、案内棒部の移動を案内するための貫通溝を含む固定平板延伸部と、を有する固定部と、
固定平板部と平行な状態で設けられる移動平板部と、移動平板部の平板面の端部から移動平板部の平板面と垂直となるように延伸する移動平板延伸部であって、移動平板延伸部の平板面と垂直となるように延伸し固定平板延伸部の貫通溝に挿通される案内棒部を含む移動平板延伸部と、を有する移動部と、
案内棒部を用いて移動平板部を固定平板部と平行な状態を保ちつつ移動させ、移動平板部の平板面が秤装置に当接したときの移動平板部と固定平板部との間の距離を測定することで、乗りかご床と秤装置との間の間隙の距離を測定する手段と、
を備え、
固定平板延伸部は、磁化された部材であり、
移動平板部は、固定平板部に磁気的に接続されない部材であり、
移動平板延伸部は、固定平板延伸部に磁気的に接続するために磁化された部材であることを特徴とする測定治具。
【請求項２】
請求項１に記載の測定治具において、
固定平板延伸部は、乗りかご床と秤装置との間の間隙の距離を測定するための目盛部を有することを特徴とする測定治具。
【請求項３】
請求項２に記載の測定治具において、
固定平板部の平板面積は、移動平板部の平板面積よりも大きいことを特徴とする測定治具。
【請求項４】
請求項１から請求項３のいずれか１に記載の測定治具において、
固定平板延伸部は、
移動平板延伸部の移動を移動平板延伸部の延伸方向に沿った方向への移動のみに規制する案内溝部を有することを特徴とする測定治具。
【請求項５】
請求項１から請求項３のいずれか１に記載の測定治具において、
案内棒部は、
移動平板延伸部の移動を移動平板延伸部の延伸方向に沿った方向への移動のみに規制する機構を有することを特徴とする測定治具。
【請求項６】
請求項１から請求項５のいずれか１に記載の測定治具において、
案内棒部に締結される締結部材であって、締め付けることで案内棒部の移動を停止させる締結部材をさらに備えることを特徴とする測定治具。
【発明の詳細な説明】
【技術分野】
【０００１】
本発明は、測定治具に係り、特に、エレベータの乗りかご床と、乗りかご床の下方に設けられる秤装置との間の間隙を測定するための測定治具に関する。
【背景技術】
【０００２】
現在、商業施設等の様々な場所において、エレベータが設置されている。エレベータには乗りかご内に乗れる乗客数、換言すれば、乗りかご内に乗車可能な総重量が規定されている。そして、乗りかご内の総重量は、乗りかご床の下方に設けられる秤装置により計測されている。
【０００３】
本発明に関連する技術として、例えば、特許文献１には、エレベータの秤装置診断方法として、エレベータのかご内が無人であることを検出するステップと、上記かごを所定階に停止させるステップを備える構成が開示されている。そして、上記かごの停止後、無負荷状態における上記かごの重量を秤装置によって測定するステップと、上記秤装置によって測定された無負荷状態における上記かごの重量が正常であるか否かを判定するステップと、無負荷状態における上記かごの重量が正常であると判定された場合に、上記かごを所定の一定加速度で移動させるステップを備える構成が開示されている。さらに、上記かごが所定の一定加速度で移動中に、上記秤装置によって上記かごの重量を測定するステップと、上記秤装置によって測定された一定加速度中における上記かごの重量が正常であるか否かを判定するステップと、を備える構成が開示されている。
【先行技術文献】
【特許文献】
【０００４】
【特許文献１】特開２００７−１０６５４２号公報
【発明の概要】
【発明が解決しようとする課題】
【０００５】
ところで、乗りかご内の総重量を正確に測定するために必要な点検として、乗りかご内に乗客が乗っていないときに、乗りかご床と秤装置との間の間隙が所定の距離となっているか否かを調べる点検作業がある。この点検作業を行う場合には、保守作業員は、乗りかごを最下階に移動させた後に、いわゆるエレベータの昇降路の最も下の部分にある、いわゆるピット部に入り、狭くて作業をしづらい環境の中で、乗りかご床と秤装置との間の間隙を測定する必要があるため、より簡単に測定を行なえることが望まれる。
【０００６】
本発明の目的は、より好適に乗りかご床と秤装置との間の距離を測定できる測定治具を提供することである。
【課題を解決するための手段】
【０００７】
本発明に係る測定治具は、エレベータの乗りかご床と、乗りかご床の下方に設けられる秤装置との間の間隙を測定するための測定治具であって、乗りかご床の下側平板面と磁気的に接続するために磁化された上側平板面を有する固定平板部と、固定平板部の平板面の端部から固定平板部の平板面と垂直となるように延伸し、案内棒部の移動を案内するための貫通溝を含む固定平板延伸部と、を有する固定部と、固定平板部と平行な状態で設けられる移動平板部と、移動平板部の平板面の端部から移動平板部の平板面と垂直となるように延伸する移動平板延伸部であって、移動平板延伸部の平板面と垂直となるように延伸し固定平板延伸部の貫通溝に挿通される案内棒部を含む移動平板延伸部と、を有する移動部と、案内棒部を用いて移動平板部を固定平板部と平行な状態を保ちつつ移動させ、移動平板部の平板面が秤装置に当接したときの移動平板部と固定平板部との間の距離を測定することで、乗りかご床と秤装置との間の間隙の距離を測定する手段と、を備え、固定平板延伸部は、磁化された部材であり、移動平板部は、固定平板部に磁気的に接続されない部材であり、移動平板延伸部は、固定平板延伸部に磁気的に接続するために磁化された部材であることを特徴とする。
【０００８】
また、本発明に係る測定治具において、固定平板延伸部は、乗りかご床と秤装置との間の間隙の距離を測定するための目盛部を有することが好ましい。
【０００９】
また、本発明に係る測定治具において、固定平板部の平板面積は、移動平板部の平板面積よりも大きいことが好ましい。
【００１０】
また、本発明に係る測定治具において、固定平板延伸部は、移動平板延伸部の移動を移動平板延伸部の延伸方向に沿った方向への移動のみに規制する案内溝部を有することが好ましい。
【００１１】
また、本発明に係る測定治具において、案内棒部は、移動平板延伸部の移動を移動平板延伸部の延伸方向に沿った方向への移動のみに規制する機構を有することが好ましい。
【００１３】
また、本発明に係る測定治具において、案内棒部に締結される締結部材であって、締め付けることで案内棒部の移動を停止させる締結部材をさらに備えることが好ましい。
【発明の効果】
【００１４】
上記構成の測定治具によれば、固定平板部を乗りかご床に磁気的に接続した状態で、案内棒部を用いて移動平板部を移動させ、移動平板部の平板面が秤装置に当接したときの移動平板部と固定平板部との間の距離を測ることで、乗りかご床と秤装置との間の間隙の距離を測定することができる。これにより、狭くて作業をしづらい環境の中であっても、好適に乗りかご床と秤装置との間の距離を測定できる。
【図面の簡単な説明】
【００１５】
【図１】本発明に係る実施の形態において、エレベータの構成を示す図である。
【図２】本発明に係る実施の形態において、測定治具の斜視図である。
【図３】本発明に係る実施の形態において、乗りかご床と秤装置との間の間隙を測定する際の測定治具の側面図である。
【図４】本発明に係る実施の形態において、図３のうち、矢印Ａ方向から測定治具を見た様子を示す図である。
【図５】本発明に係る実施の形態において、測定治具の第１変形例の斜視図である。
【図６】本発明に係る実施の形態において、図５の矢印Ｘ方向から測定治具の第１変形例を見た様子を示す図である。
【図７】本発明に係る実施の形態において、図６に対応する測定治具の第２変形例の構成を示す図である。
【発明を実施するための形態】
【００１６】
以下に、本発明に係る実施の形態について添付図面を参照しながら詳細に説明する。また、以下では、全ての図面において同様の要素には同一の符号を付し、重複する説明を省略する。また、本文中の説明においては、必要に応じそれ以前に述べた符号を用いるものとする。
【００１７】
図１は、エレベータ１０の構成を示す図である。エレベータ１０は、巻上機１４を中心として、巻上機１４のシーブに巻き架けられた主ロープ７のうちの一方端には乗りかご２が取り付けられ、他方端にはカウンタウエイト１６が取り付けられている。そして、エレベータ１０のシステム全体の制御は、エレベータ制御部２２によって行われている。ここで、巻上機１４とエレベータ制御部２２とが昇降路９の上方に位置するいわゆる機械室２０に設置されている。また、昇降路９の下部には、いわゆるピット部９ａが設けられている。
【００１８】
カウンタウエイト１６は、釣合い錘とも呼ばれ、いわゆるつるべ式エレベータシステムで用いられる錘である。カウンタウエイト１６は、全体の形状は扁平で縦に長く、非常に重い鉄の塊であり、主ロープ７の一方端に接続されている乗りかご２との間でバランスを取っている。
【００１９】
巻上機１４は、主ロープ７の折り返し中間地点に設置され、電動機（モータ）と、それに連結された滑車（シーブ）に掛かる摩擦力によって、乗りかご２とカウンタウエイト１６を昇降（上昇下降）させる機能を有する。この方法によって乗りかご２の昇降を行うと、主ロープ７の両端の重量バランスが良いので、比較的小さい力で主ロープ７に吊るされた乗りかご２を昇降させることができる。
【００２０】
乗りかご２は、昇降路９内を昇降し、行先階設定釦部８３によって設定された行先階まで乗客４を移動させるための箱型の構造物である。乗りかご２は、乗りかご枠部３２と、乗りかご本体部３４と、緩衝部材３６と、秤装置３８とを含んで構成される。乗りかご本体部３４は、乗りかご操作盤８と、乗りかご扉６とを含んで構成される。
【００２１】
乗りかご扉６は、乗りかご２が乗客４によって設定された行先階に着床したときに開閉する両開き、あるいは、片開き扉である。乗りかご扉６は、エレベータ制御部２２の制御によって開閉制御される。エレベータ制御部２２の開閉制御の１つである自動戸開閉制御機能によって、乗りかご扉６は、乗りかご２が着床した際に一旦開かれた後、所定の時間（例えば、１０秒）が経過してから自動的に閉じられる。この自動戸開閉制御機能により、乗客４がスムーズに乗りかご２に乗降することができる。
【００２２】
乗りかご操作盤８は、表示パネル８４と、行先階設定釦部８３と、開閉操作釦部８６と、を含んで構成される。表示パネル８４は、乗りかご２が移動しているときに、乗りかご２が現在位置している階床を表示する機能を有する。
【００２３】
行先階設定釦部８３は、乗客４が乗りかご２の行先階を設定するための押釦であり、１階設定押釦８３ａと、２階設定押釦８３ｂと、３階設定押釦８３ｃとを含んで構成される。
【００２４】
１階設定押釦８３ａは、乗りかご２の行先階を１階に設定するための押釦である。２階設定押釦８３ｂは、乗りかご２の行先階を２階に設定するための押釦である。３階設定押釦８３ｃは、乗りかご２の行先階を３階に設定するための押釦である。
【００２５】
開閉操作釦部８６は、エレベータ制御部２２の自動戸開閉制御機能とは別に、乗客４が手動で乗りかご扉６を開閉操作するための押釦であり、戸開押釦８６ａと、戸閉押釦８６ｂとを含んで構成される。
【００２６】
戸開押釦８６ａは、エレベータ制御部２２の自動戸開閉制御機能とは別に、乗りかご扉６を手動操作で開くための押釦であり、乗りかご２が着床している際に押されると、強制的に乗りかご扉６を開くようにエレベータ制御部２２に対して戸開信号を送信する機能を有する。戸開押釦８６ａは、乗客４が手で操作しやすい高さ位置に取り付けられている。
【００２７】
戸閉押釦８６ｂは、エレベータ制御部２２の自動戸開閉制御機能とは別に、乗りかご扉６を手動操作で閉じるための押釦であり、乗りかご２が着床している際に押されると、強制的に乗りかご扉６を閉じるようにエレベータ制御部２２に対して戸閉信号を送信する機能を有する。戸閉押釦８６ｂは、乗客４が手で操作しやすい高さ位置に取り付けられている。
【００２８】
乗りかご枠部３２は、乗りかご本体部３４の周囲を覆う枠体である。乗りかご枠部３２と、乗りかご本体部３４の乗りかご床３４２との間には、緩衝部材３６と、秤装置３８が設けられている。なお、乗りかご本体部３４の乗りかご床３４２は、磁化された部材で構成されている。
【００２９】
緩衝部材３６は、乗りかご枠部３２と、乗りかご本体部３４の乗りかご床３４２との間の外縁部に設けられて、例えば、適当な強度を有するゴム部材を用いて構成することができる。緩衝部材３６は、乗りかご本体部３４に乗客４が乗り込んで乗りかご本体部３４が沈んだ場合に乗りかご床３４２を支える緩衝材として機能する。
【００３０】
秤装置３８は、乗りかご枠部３２の下側内壁面に設けられ、乗りかご本体部３４に乗客が乗り込んでいないときは、乗りかご床３４２との間の間隙３９が所定の距離を保つように配置されている。また、秤装置３８は、乗りかご本体部３４に乗客が乗り込んで、乗りかご床３４２と当接したときに、乗りかご本体部３４に乗り込んでいる乗客４の総重量を計測する装置である。
【００３１】
昇降路９の下部であるピット部９ａには、万が一、乗りかご２が落下した際に衝撃を和らげる機能を果たす緩衝バッファ１９が設けられている。緩衝バッファ１９は、乗りかご枠部３２の下面の中央に対応した位置に設けられている。
【００３２】
エレベータ制御部２２は、エレベータ１０全般を制御する機能を有する。具体的には、エレベータ制御部２２は、巻上機１４に巻上させることで乗りかご２を昇降させる機能を有する。さらに、エレベータ制御部２２は、乗りかご２が着床した際に乗りかご扉６を一旦開いた後、所定の時間（例えば、１０秒）が経過してから自動的に乗りかご扉６を閉じる自動戸開閉制御機能を有している。そして、エレベータ制御部２２は、自動戸開閉制御機能とは別に、戸開押釦８６ａからの戸開信号を受け取って乗りかご扉６を開く機能と、戸閉押釦８６ｂからの戸閉信号を受け取って乗りかご扉６を閉じる機能とを有している。
【００３３】
ここで、エレベータ１０において、乗りかご２内の総重量を正確に測定するために必要な点検作業として、乗りかご２内に乗客４が乗っていないときに、乗りかご床３４２と秤装置３８との間の間隙３９が所定の距離となっているか否かを調べる必要がある。この点検作業を行う場合には、保守作業員は、乗りかご２を最下階（１階）に移動させた後にピット部９ａに入り、乗りかご床３４２と秤装置３８との間の間隙３９の距離を測定する。
【００３４】
測定治具１００は、保守作業員がピット部９ａに入って乗りかご床３４２と秤装置３８との間の間隙３９の距離を測定する際に用いる治具である。図２は、測定治具１００の斜視図である。測定治具１００は、固定部１１０と、移動部１２０と、締結部材１３０とを含んで構成される。
【００３５】
固定部１１０は、固定平板部１１２と、固定平板延伸部１１４と、貫通溝１１６と、目盛部１１８とを含んで構成される。
【００３６】
固定平板部１１２は、その上側平板面が、乗りかご床３４２の下側平板面と磁気的に接続するために磁化された部材で構成された平板部材である。固定平板部１１２の平板面積は、後述する移動平板部１２２の平板面積よりも大きい。
【００３７】
固定平板延伸部１１４は、固定平板部１１２の下側平板面の端部から固定平板部１１２の下側平板面と垂直になるように延伸した平板部材である。なお、固定平板延伸部１１４は、磁化されている。
【００３８】
貫通溝１１６は、固定平板延伸部１１４のほぼ中央付近に形成される溝である。貫通溝１１６は、後述する案内棒部１２６を案内する方向（固定平板延伸部１１４の延伸方向（図２の矢印Ｘ方向あるいは矢印Ｙ方向））に延伸して形成された貫通溝である。
【００３９】
目盛部１１８は、固定平板延伸部１１４の平板面上で貫通溝１１６に沿って設けられる目盛である。目盛部１１８は、案内棒部１２６の位置が、固定平板部１１２と後述する移動平板部１２２との間の距離（換言すれば、乗りかご床３４２と秤装置３８との間の間隙３９の距離）に対応するように目盛を設けている。
【００４０】
移動平板部１２２は、固定平板部１１２と平行な状態で設けられる平板部材である。移動平板部１２２の平板面積は、固定平板部１１２の平板面積よりも小さい。移動平板部１２２は、案内棒部１２６を用いることにより固定平板部１１２と平行な状態を保ちつつ固定平板延伸部１１４の延伸方向（図２の矢印Ｘ方向あるいは矢印Ｙ方向）に沿って移動する。なお、移動平板部１２２は、磁化されておらず、固定平板部１１２と磁気的に接続しない。
【００４１】
移動平板延伸部１２４は、移動平板部１２２の下側平板面の端部から延伸して移動平板部１２２の下側平板面と垂直になるように延伸した平板部材である。なお、移動平板延伸部１２４は、磁化されており、その平板面は、固定平板延伸部１１４の平板面と合わさって磁気的に接続している。
【００４２】
案内棒部１２６は、移動平板延伸部１２４の平板面のほぼ中央から移動平板延伸部１２４の平板面に垂直な方向に延伸する棒部材である。案内棒部１２６は、固定平板延伸部１１４の貫通溝１１６に対して挿通され、貫通溝１１６から突出した状態で設けられる。案内棒部１２６は、貫通溝１１６によって、矢印Ｘ方向あるいは矢印Ｙ方向への移動が案内され、案内棒部１２６が移動すると移動部１２０が移動することとなる。また、案内棒部１２６には締結部材１３０が螺合するためのねじ切りが形成されている。
【００４３】
締結部材１３０は、案内棒部１２６に螺合するためのねじ切りが形成され、締め付けることで固定平板延伸部１１４の平板面と当接する。このとき、締結部材１３０と移動平板延伸部１２４とによって固定平板延伸部１１４が強い力で挟持された状態となると、案内棒部１２６の移動が停止される。
【００４４】
上記構成の測定治具１００の作用について図１〜図４を用いて説明する。図３は、乗りかご床３４２と秤装置３８との間の間隙３９の距離を測定する際の測定治具１００の側面図である。図４は、図３において矢印Ａ方向から測定治具１００を見た様子を示す図である。エレベータ１０を長期間使用していると、乗りかご床３４２と秤装置３８との間の間隙３９が予め設定された所定の距離からずれてしまうことがあるため、定期的に点検する必要がある。
【００４５】
ここで、保守作業員は、乗りかご床３４２と秤装置３８との間の間隙３９の距離を計測する場合に、エレベータ１０を点検モード状態に移行させ、乗りかご２を最下階（１階）に移動させる。そして、保守作業員は、ピット部９ａに入って、測定治具１００を乗りかご床３４２と秤装置３８との間に近づけて、秤装置３８の上方において、乗りかご床３４２の下側平板面と固定平板部１１２の上側平板面とを磁気的に接続する。そして、締結部材１３０を緩めて、案内棒部１２６を矢印Ｘ方向あるいは矢印Ｙ方向に移動可能な状態とし、案内棒部１２６を用いて移動平板部１２２を固定平板部１１２と平行な状態と保ちつつ矢印Ｘ方向あるいは矢印Ｙ方向に移動させて、図３に示されるように、移動平板部１２２の下側平板面を秤装置３８の先端部と当接させる。その後、締結部材１３０を締め付けて、案内棒部１２６の移動を停止させてから、測定治具１００を乗りかご床３４２と秤装置３８との間から取り外す。
【００４６】
その後、作業しやすい場所において、案内棒部１２６の位置と、当該案内棒部１２６の位置に対応する目盛部１１８の位置の関係から、固定平板部１１２と移動平板部１２２との間の距離（換言すれば、乗りかご床３４２と秤装置３８との間の間隙３９の距離）を読み取って測定することができる。なお、目盛部１１８を用いなくとも、締結部材１３０は締め付けられた状態であるため、固定平板部１１２と移動平板部１２２との間の距離は一定の状態に保たれている。したがって、保守作業員は、測定治具１００を乗りかご床３４２と秤装置３８との間から取り外して、作業しやすい場所において、定規等を用いて固定平板部１１２と移動平板部１２２との間の距離を直接計測することで、乗りかご床３４２と秤装置３８との間の間隙３９の距離を調べることもできる。
【００４７】
上記のように、固定平板部１１２を乗りかご床３４２に磁気的に接続させた後に、案内棒部１２６を用いて移動平板部１２２を移動させて、乗りかご床３４２と秤装置３８との間の間隙３９の距離を調べることができるため、保守作業員は片手だけで乗りかご床３４２と秤装置３８との間の間隙３９の距離の計測をすることができる。さらに、締結部材１３０を締め付けることで固定平板部１１２と移動平板部１２２との間の距離は一定の状態に保つことができるため、測定治具１００を作業しやすい場所に移動させてから固定平板部１１２と移動平板部１２２との間の距離を計測することができる。したがって、保守作業員は、測定治具１００を用いることにより、より好適に乗りかご床３４２と秤装置３８との間の間隙３９の距離を測定することができる。
【００４８】
なお、測定治具１００のうち、固定平板部１１２は磁化されているが、移動平板部１２２は磁化されていないため、固定平板部１１２と移動平板部１２２とは磁気的に接続されない。したがって、移動平板部１２２の移動をさせやすい。また、測定治具１００は、固定平板延伸部１１４と移動平板延伸部１２４の両方とも磁化されており、固定平板延伸部１１４の平板面と移動平板延伸部１２４の平板面が合わさって磁気的に接続される。したがって、案内棒部１２６を用いて移動平板延伸部１２４を移動させる場合に、固定平板延伸部１１４の延伸方向（移動平板延伸部１２４の延伸方向（矢印Ｘ方向あるいは矢印Ｙ方向））に沿ってのみ延伸させやすい。また、測定治具１００は、固定平板部１１２の平板面積が、移動平板部１２２の平板面積に比べて大きいため、安定した状態で乗りかご床３４２と磁気的に接続するため、好適に乗りかご床３４２と秤装置３８との間の間隙３９の距離を測定することができる。
【００４９】
次に、測定治具１００の第１変形例である測定治具１０１について説明する。図５は、測定治具１０１の斜視図である。図６は、図５の矢印Ｘ方向から測定治具１０１を見た様子を示す図である。測定治具１０１と測定治具１００の相違は、案内溝部１２８のみであるため、その相違点を中心に説明する。
【００５０】
案内溝部１２８は、略コの字断面形状（図６参照）を有する溝部であり、その溝を構成する内側壁が移動平板延伸部１２４の３つの側面と接触する状態で固定平板延伸部１１４に取り付けられる。このとき、移動平板延伸部１２４のもう１つの側面（平板面）は、固定平板延伸部１１４の平板面と接触している状態であるため、移動平板延伸部１２４は、案内溝部１２８によって、その延伸方向（図５の矢印Ｘ方向あるいは矢印Ｙ方向）に沿ってのみに移動するように案内される。
【００５１】
続いて、測定治具１０１の作用について説明する。測定治具１０１は、保守作業員がエレベータ１０の乗りかご床３４２と秤装置３８の間の間隙３９の距離を測定する際に用いることができる。ここで、測定治具１０１は、案内溝部１２８によって移動平板延伸部１２４の移動が延伸方向に沿った方向（図５の矢印Ｘ方向あるいは矢印Ｙ方向）のみに規制されるため、保守作業員は簡単に片手で計測作業を行うことができる。したがって、保守作業員は、測定治具１０１を用いることにより、より簡単に乗りかご床３４２と秤装置３８との間の間隙３９を計測することができる。
【００５２】
次に、測定治具１００の第２変形例である測定治具１０２について説明する。図７は、図６に対応する測定治具１０２の構成を示す図である。測定治具１０２と測定治具１００の相違は、案内棒部１２７の形状のみであるため、その相違点を中心に説明する。
【００５３】
案内棒部１２７は、移動平板延伸部１２４の平板面に垂直に延伸しており、図７に示されるように、貫通溝１１６に挿入されている部分１２７ａは、その幅が貫通溝１１６の幅よりも少しだけ狭いが、貫通溝１１６から突出した部分１２７ｂは、貫通溝１１６の幅よりも広く、貫通溝１１６から突出した部分１２７ｂの端部が貫通溝１１６の端部に係合しているため、移動平板延伸部１２４は、その延伸方向（図５の矢印Ｘ方向あるいは矢印Ｙ方向参照）に沿ってのみに移動するように案内される。
【００５４】
続いて、測定治具１０２の作用について説明する。測定治具１０２は、測定治具１００保守作業員がエレベータ１０の乗りかご床３４２と秤装置３８の間の間隙３９の距離を測定する際に用いることができる。ここで、測定治具１０２は、移動平板延伸部１２４の移動を延伸方向に沿った方向（図５の矢印Ｘ方向あるいは矢印Ｙ方向参照）のみに移動するように規制するための案内棒部１２７を有しているため、保守作業員はより簡単に片手で計測作業を行うことができる。したがって、保守作業員は、測定治具１０２を用いることにより、より簡単に乗りかご床３４２と秤装置３８との間の間隙３９を計測することができる。
【符号の説明】
【００５５】
４  乗客、６  乗りかご扉、７  主ロープ、８  乗りかご操作盤、９  昇降路、９ａ  ピット部、１０  エレベータ、１４  巻上機、１６  カウンタウエイト、１９  緩衝バッファ、２０  機械室、２２  エレベータ制御部、３２  乗りかご枠部、３４  乗りかご本体部、３６  緩衝部材、３８  秤装置、３９  間隙、８３  行先階設定釦部、８３ａ  １階設定押釦、８３ｂ  ２階設定押釦、８３ｃ  ３階設定押釦、８４  表示パネル、８６  開閉操作釦部、８６ａ  戸開押釦、８６ｂ  戸閉押釦、１００,１０１，１０２  測定治具、１１０  固定部、１１２  固定平板部、１１４  固定平板延伸部、１１６  貫通溝、１１８  目盛部、１２０  移動部、１２２  移動平板部、１２４  移動平板延伸部、１２６，１２７  案内棒部、１２８  案内溝部、１３０  締結部材、３４２  乗りかご床。
【図１】
0005478343.tif 000002
【図２】
0005478343.tif 000003
【図３】
0005478343.tif 000004
【図４】
0005478343.tif 000005
【図５】
0005478343.tif 000006
【図６】
0005478343.tif 000007
【図７】
0005478343.tif 000008